(57)【要約】【課題】信号線に供給される信号のばらつきを低減する。【解決手段】第１供給回路２００ａは、データ信号ＶID[ｊｏｄｄ]を奇数番目の分配回路２１[ｊｏｄｄ]に出力し、選択信号ＳＥＬ１[１]〜ＳＥＬ１[Ｋ]を全ての分配回路２１[ｊ]に出力する。第２供給回路２００ｂは、データ信号ＶID[ｊｅｖｅｎ]を偶数番目の分配回路２１[ｊｅｖｅｎ]に出力する。奇数番目の分配回路２１[ｊｏｄｄ]は、選択信号ＳＥＬ１[１]〜ＳＥＬ１[Ｋ]を用いて、データ信号ＶID[ｊｏｄｄ]を信号線１４に分配する。偶数番目の分配回路２１[ｊｅｖｅｎ]は、選択信号ＳＥＬ１[１]〜ＳＥＬ１[Ｋ]を用いて、データ信号ＶID[ｊｅｖｅｎ]を信号線１４に分配する。第２供給回路２００ｂの選択信号ＳＥＬ２[１]〜ＳＥＬ２[Ｋ]の出力線６０ｂ[１]〜６０ｂ[Ｋ]には、ダミー負荷４００が接続されている。【選択図】図３
2018017793.tif 000002
【特許請求の範囲】
【請求項１】
第１信号線群に属する複数の第１信号線と複数の走査線との各交差に対応して配置され前記走査線の選択時に前記第１信号線に供給される第１データ信号に応じた階調を表示する複数の第１画素と、
第２信号線群に属する複数の第２信号線と前記複数の走査線との各交差に対応して配置され前記走査線の選択時に前記第２信号線に供給される第２データ信号に応じた階調を表示する複数の第２画素と、
第１選択信号を用いて前記第１データ信号を前記第１信号線に分配する第１分配部と、
前記第１選択信号を用いて前記第２データ信号を前記第２信号線に分配する第２分配部と、
前記第１データ信号と前記第１選択信号を供給する第１供給部と、
前記第２データ信号と第２選択信号を供給する第２供給部と、を含み、
前記第２供給部は前記第２選択信号を負荷部に出力する
ことを特徴とする電気光学装置。
【請求項２】
複数の走査線と、
複数の第１信号線と、
複数の第２信号線と、
前記複数の走査線と前記複数の第１信号線との交差の各々に対応して設けられ前記走査線の選択時に前記第１信号線に供給された第１データ信号に応じた表示を実行する複数の第１画素と、
前記複数の走査線と前記複数の第２信号線との交差の各々に対応して設けられ前記走査線の選択時に前記第２信号線に供給された第２データ信号に応じた表示を実行する複数の第２画素と、
前記複数の走査線の各々を順次に選択する走査線駆動部と、
前記第１データ信号の前記複数の第１信号線への分配および前記第２データ信号の前記複数の第２信号線への分配を制御する選択信号と、前記第１データ信号とを出力する第１供給部と、
前記選択信号と前記第２データ信号とを出力する第２供給部と、
前記第１供給部から出力された選択信号を用いて、前記第１データ信号を前記複数の第１信号線へ分配する第１分配部と、
前記第１供給部から出力された選択信号を用いて、前記第２データ信号を前記複数の第２信号線へ分配する第２分配部と、
前記第２供給部から出力された選択信号が供給され、前記第１供給部の負荷と前記第２供給部の負荷との差を小さくするダミー負荷と、
を備えることを特徴とする電気光学装置。
【請求項３】
前記第１供給部は、前記第１データ信号を出力する第１出力部と、前記選択信号を出力する第２出力部および第３出力部と、を備え、
前記第１出力部は、前記第２出力部と前記第３出力部との間に設けられている、
ことを特徴とする請求項２に記載の電気光学装置。
【請求項４】
前記第１供給部から前記第１データ信号および前記選択信号を受ける第１入力部と、
前記第２供給部から前記第２データ信号を受ける第２入力部とが設けられた電気光学パネルを備え、
前記複数の走査線と、前記複数の第１信号線と、前記複数の第２信号線と、前記複数の第１画素と、前記複数の第２画素と、前記走査線駆動部と、前記第１分配部と、前記第２分配部は、前記電気光学パネルに設けられ、
前記第１分配部は、前記第１入力部を介して前記第１データ信号および前記選択信号を受け、
前記第２分配部は、前記第１入力部を介して前記選択信号を受け、前記第２入力部を介して前記第２データ信号を受け、
前記第１入力部と前記第２入力部とは、前記第１信号線の長さ方向に並んでいる、
ことを特徴とする請求項２または３に記載の電気光学装置。
【請求項５】
前記第１入力部は、前記第２入力部よりも、前記第１分配部側および前記第２分配部側に設けられており、
前記ダミー負荷は、前記第１入力部と前記第１分配部との間および前記第１入力部と前記第２分配部との間に設けられている、
ことを特徴とする請求項４に記載の電気光学装置。
【請求項６】
前記ダミー負荷が設けられた基板を備えることを特徴とする請求項２または３に記載の電気光学装置。
【請求項７】
前記基板は、前記複数の走査線と、前記複数の第１信号線と、前記複数の第２信号線と、前記複数の第１画素と、前記複数の第２画素と、前記走査線駆動部と、前記第１分配部と、前記第２分配部とが設けられた表示用基板であることを特徴とする請求項６に記載の電気光学装置。
【請求項８】
前記基板は、前記第１供給部と前記第２供給部とを制御する制御部が設けられた制御基板であることを特徴とする請求項６に記載の電気光学装置。
【請求項９】
前記基板は、前記第２供給部が設けられたフレキシブル回路基板であることを特徴とする請求項６に記載の電気光学装置。
【請求項１０】
前記第２供給部は、前記ダミー負荷を備え、前記選択信号を前記ダミー負荷に出力することを特徴とする請求項２から４のいずれか１項に記載の電気光学装置。
【請求項１１】
請求項１から１０いずれか１項に記載の電気光学装置を備えることを特徴とする電子機器。
【発明の詳細な説明】
【技術分野】
【０００１】
本発明は、電気光学装置および電子機器に関する。
【背景技術】
【０００２】
高精細な電気光学装置（例えば、液晶表示装置）では、１個の駆動回路のみでデータ信号を出力する場合、その１個の駆動回路に大きな負担がかかる。この負担を低減できる手法として、複数個（２個）の駆動回路を用いてデータ信号を出力する手法が知られている（特許文献１参照）。
【先行技術文献】
【特許文献】
【０００３】
【特許文献１】特開２００７−２１２９５６号公報
【発明の概要】
【発明が解決しようとする課題】
【０００４】
ところで、電気光学装置が、駆動回路の出力するデータ信号を選択信号に応じて複数の信号線に分配するデマルチプレクサー等の分配回路を有する場合がある。ここで、各駆動回路が、データ信号に加えて分配回路用の選択信号を出力することも可能である。この場合、複数の駆動回路のいずれかが出力した選択信号のみを用いて分配回路を制御するケースが考えられる。
しかしながら、このケースでは、駆動回路間で、選択信号を分配回路に供給するか否かという動作条件の違いが生じてしまう。選択信号を分配回路に供給しない駆動回路では、選択信号の出力に伴う電源電圧の変動は生じないが、選択信号を分配回路に供給する駆動回路では、選択信号の出力に伴って電源電圧が変動（例えば、選択信号の立下りに伴って電源電圧が電圧の低い側へ変動）する。この電源電圧の変動の違いは、各駆動回路間でデータ信号のばらつきを引き起こし、画質の低下を引き起こすおそれがある。
【０００５】
本発明は上述した事情に鑑みてなされたものであり、データ信号のばらつきに起因する画質の低下を抑制し、高精細で高品質な表示を行うことを解決課題とする。
【課題を解決するための手段】
【０００６】
本発明の電気光学装置の一態様は、第１信号線群に属する複数の第１信号線と複数の走査線との各交差に対応して配置され前記走査線の選択時に前記第１信号線に供給される第１データ信号に応じた階調を表示する複数の第１画素と、第２信号線群に属する複数の第２信号線と前記複数の走査線との各交差に対応して配置され前記走査線の選択時に前記第２信号線に供給される第２データ信号に応じた階調を表示する複数の第２画素と、第１選択信号を用いて前記第１データ信号を前記第１信号線に分配する第１分配部と、第１選択信号を用いて前記第２データ信号を前記第２信号線に分配する第２分配部と、前記第１データ信号と前記第１選択信号を供給する第１供給部と、前記第２データ信号と前記第２選択信号を供給する第２供給部と、を含み、前記第２供給部は前記第２選択信号を負荷部に出力することを特徴とする。
この態様によれば、第１供給部から出力された選択信号は、第１分配部および第２分配部に供給され、第２供給部から出力された選択信号は、負荷部に供給される。このため、第１供給部と第２供給部のいずれか一方のみから選択信号が出力される構成と比較して、第１供給部と第２供給部との間の負荷の差が小さくなる。よって、第１供給部と第２供給部との負荷の相違に起因する、第１データ信号が供給される第１画素と第２データ信号が供給される第２画素との間の輝度等のばらつきを低減可能となる。
【０００７】
また、本発明の電気光学装置の一態様は、複数の走査線と、複数の第１信号線と、複数の第２信号線と、前記複数の走査線と前記複数の第１信号線との交差の各々に対応して設けられ前記走査線の選択時に前記第１信号線に供給された第１データ信号に応じた表示を実行する複数の第１画素と、前記複数の走査線と前記複数の第２信号線との交差の各々に対応して設けられ前記走査線の選択時に前記第２信号線に供給された第２データ信号に応じた表示を実行する複数の第２画素と、前記複数の走査線の各々を順次に選択する走査線駆動部と、前記第１データ信号の前記複数の第１信号線への分配および前記第２データ信号の前記複数の第２信号線への分配を制御する選択信号と、前記第１データ信号とを出力する第１供給部と、前記選択信号と前記第２データ信号とを出力する第２供給部と、前記第１供給部から出力された選択信号を用いて、前記第１データ信号を前記複数の第１信号線へ分配する第１分配部と、前記第１供給部から出力された選択信号を用いて、前記第２データ信号を前記複数の第２信号線へ分配する第２分配部と、前記第２供給部から出力された選択信号が供給され、前記第１供給部の負荷と前記第２供給の負荷との差を小さくするダミー負荷とを備えることを特徴とする。
この態様によれば、第１供給部から出力された選択信号は、第１分配部および第２分配部に供給され、第２供給部から出力された選択信号は、ダミー負荷に供給される。このため、第１供給部と第２供給部のいずれか一方のみから選択信号が出力される構成と比較して、第１供給部と第２供給部との間の負荷の差が小さくなる。よって、第１供給部と第２供給部との間の負荷の相違に起因する第１データ信号と第２データ信号との間のばらつきを低減可能になる。したがって、画質の低下を抑制可能となる。
【０００８】
上述した電気光学装置において、前記第１供給部は、前記第１データ信号を出力する第１出力部と、前記選択信号を出力する第２出力部および第３出力部と、を備え、前記第１出力部は、前記第２出力部と前記第３出力部との間に設けられていることが望ましい。
選択信号を伝送する配線には配線抵抗が存在し、該配線間には配線容量が存在する。このため、該配線が長くなると、選択信号の遅延量が大きくなる。よって、選択信号の出力元から第１分配部までの配線の長さと、選択信号の出力元から第２分配部までの配線の長さとの差に応じて、第１分配部に到達する選択信号と第２分配部に到達する選択信号との間で、選択信号の遅延量が異なってしまう。選択信号の遅延量の差は、第１データ信号と第２データ信号と各々の分配タイミングのばらつきを生じさせるため、画質の低下を引き起こすおそれがある。
この態様によれば、複数箇所から出力された選択信号を用いて分配動作を制御可能となる。このため、単一の箇所から選択信号が出力される場合に比べて、選択信号の出力元から第１分配部までの間の選択信号の配線の長さと、選択信号の出力元から第２分配部までの間の選択信号の配線の長さとの差を小さくすることが可能になり、選択信号の遅延量の差を小さくできる。よって、選択信号の遅延量の差に基づく画質の乱れを低減可能になる。
【０００９】
上述した電気光学装置において、前記第１供給部から前記第１データ信号および前記選択信号を受ける第１入力部と、前記第２供給部から前記第２データ信号を受ける第２入力部とが設けられた電気光学パネルを備え、前記複数の走査線と、前記複数の第１信号線と、前記複数の第２信号線と、前記複数の第１画素と、前記複数の第２画素と、前記走査線駆動部と、前記第１分配部と、前記第２分配部は、前記電気光学パネルに設けられ、前記第１分配部は、前記第１入力部を介して前記第１データ信号および前記選択信号を受け、前記第２分配部は、前記第１入力部を介して前記選択信号を受け、前記第２入力部を介して前記第２データ信号を受け、前記第１入力部と前記第２入力部とは、前記第１信号線の長さ方向に並んでいることが望ましい。
この態様によれば、第１入力部と第２入力部との並び方向が、第１信号線の長さ方向に直交する方向（以下「特定方向」と称する）と一致するに比べて、第１入力部と第２入力部とを並べた構成における特定方向の長さを短くできる。
【００１０】
上述した電気光学装置において、前記第１入力部は、前記第２入力部よりも、前記第１分配部側および前記第２分配部側に設けられており、前記ダミー負荷は、前記第１入力部と前記第１分配部との間および前記第１入力部と前記第２分配部との間に設けられていることが望ましい。
この態様によれば、ダミー負荷が第１入力部と第２入力部との間に設けられた場合に比べて、ダミー負荷を、第１分配部および第２分配部に近づけることが可能になる。このため、第１分配部および第２分配部が外部環境から受ける影響（例えば温度）とダミー負荷が外部環境から受ける影響との差を小さくできる。外部環境から受ける影響（例えば温度）の差は、負荷の大きさに影響するため、この差を小さくすることで、第１供給部と第２供給部との間の負荷の差が大きくなることを抑制可能になる。
【００１１】
上述した電気光学装置において、前記ダミー負荷が設けられた基板を備えることが望ましい。
この態様によれば、ダミー負荷を基板に固定することが可能になる。
【００１２】
上述した電気光学装置において、前記基板は、前記複数の走査線と、前記複数の第１信号線と、前記複数の第２信号線と、前記複数の第１画素と、前記複数の第２画素と、前記走査線駆動部と、前記第１分配部と、前記第２分配部とが設けられた表示用基板であることが望ましい。
この態様によれば、表示用基板にダミー負荷が設けられるので、ダミー負荷専用の新たな基板を設ける必要がなく、構成の小型化を図ることが可能になる。
【００１３】
上述した電気光学装置において、前記基板は、前記第１供給部と前記供給部とを制御する制御部が設けられた制御基板であることが望ましい。
この態様によれば、制御部が設けられた制御基板にダミー負荷が設けられるので、ダミー負荷専用の新たな基板を設ける必要がなく、構成の小型化を図ることが可能になる。また、例えば、ダミー負荷を可変抵抗または可変容量等で構成すれば、ダミー負荷における負荷の大きさを調整可能になる。
【００１４】
上述した電気光学装置において、前記基板は、前記第２供給部が設けられたフレキシブル回路基板であることが望ましい。
この態様によれば、第２供給部が設けられたフレキシブル回路基板にダミー負荷が設けられるので、ダミー負荷専用の新たな基板を設ける必要がなく、構成の小型化を図ることが可能になる。
また、例えば、フレキシブル回路基板から他の基板へコネクタ端子を介して選択信号を出力する必要がないため、フレキシブル回路基板に、選択信号用のコネクタ端子を設ける必要がなくなり、コネクタ端子の数を削減可能になる。
【００１５】
上述した電気光学装置において、前記第２供給部は、前記ダミー負荷を備え、前記選択信号を前記ダミー負荷に出力することが望ましい。
この態様によれば、第２供給部にダミー負荷が設けられるので、ダミー負荷専用の新たな基板を設ける必要がなく、構成の小型化を図ることが可能になる。また、第２供給部とは異なる構成部にダミー負荷を設ける場合に比べて、選択信号をダミー負荷に供給するための配線を短くすることができる。
【００１６】
本発明の電子機器の一態様は、上述した電気光学装置を備える。そのような電気光学装置は、画質の低下を抑制可能になる。
【図面の簡単な説明】
【００１７】
【図１】本発明を採用した第１実施形態に係る電気光学装置１の斜視図である。
【図２】電気光学装置１の斜視図である
【図３】電気光学装置１を示す図である。
【図４】画素ＰIXの回路図である。
【図５】電気光学装置１の動作の説明図である。
【図６】電気光学装置１の一部の構成を示す図である。
【図７】ダミー負荷４００の一例を示した図である。
【図８】電気光学装置１の一部の構成を示す図である。
【図９】第２実施形態に係る電気光学装置１Ａを示した図である。
【図１０】第３実施形態に係る電気光学装置１Ｂを示した図である。
【図１１】フレキシブル回路基板３００ａの一部を示した図である。
【図１２】フレキシブル回路基板４００ａの一部を示した図である。
【図１３】第４実施形態に係る電気光学装置１Ｃを示した図である。
【図１４】ダミー負荷４００との接続の一例を説明するための図である。
【図１５】ダミー負荷４００との接続の一例を説明するための図である。
【図１６】電子機器の形態（投射型表示装置）を示す斜視図である。
【発明を実施するための形態】
【００１８】
以下、図面を参照しながら本発明に係る実施の形態を説明する。なお、図面において各部の寸法や縮尺は実際のものと適宜異なる。また、以下に記載する実施の形態は、本発明の好適な具体例であるから技術的に好ましい種々の限定が付されているが、本発明の範囲は、以下の説明において特に本発明を限定する旨の記載がない限り、これらの形態に限られるものではない。
【００１９】
＜第１実施形態＞
図１は、本発明の一実施形態である電気光学装置１の信号伝送系の構成を示す図である。電気光学装置１は、電気光学パネル１００と、第１供給回路２００ａと、第２供給回路２００ｂと、第１配線基板としてのフレキシブル（Flexible Printed Circuits）回路基板３００ａおよび第２配線基板としてのフレキシブル回路基板３００ｂと、を備えている。なお、この電気光学装置１は、例えば、フルハイビジョンの画素数を縦２倍、横２倍とし、３８４０×２１６０の画素数を有するものであってもよい。また、第１供給回路２００ａと第２供給回路２００ｂとの各々は、例えば、駆動用集積回路である。
図２は、本発明を採用した第１実施形態に係る電気光学装置１の構成例を示す斜視図である。図２は、図１の主要部の反対面の斜視図である。
＜電気光学装置１の概略＞
電気光学装置１は、電気光学パネル１００の一辺に、フレキシブル回路基板３００ａおよび３００ｂが接続された構成である。
【００２０】
第１供給回路２００ａは、フレキシブル回路基板３００ａにＣＯＦ（Chip On Film）技術によって実装されている。第２供給回路２００ｂは、フレキシブル回路基板３００ｂにＣＯＦ技術によって実装されている。フレキシブル回路基板３００ａは、フレキシブル回路基板３００ｂに積層されている。第１供給回路２００ａは、第２供給回路２００ｂに積層されている。このように本実施形態では、フレキシブル回路基板３００ａとフレキシブル回路基板３００ｂは、電気光学パネル１００の表示面に垂直な方向（ｚ方向）において一部が重なるように取り付けられる。
【００２１】
電気光学パネル１００は、表示用基板の一例である。電気光学パネル１００は、第１入力部１１０ａと、第２入力部１１０ｂと、ダミー負荷４００（図３参照）と、を備えている。
【００２２】
第１入力部１１０ａは入力端子群である。第１入力部１１０ａは、例えば、第１供給回路２００ａが出力した各種信号を、フレキシブル回路基板３００ａを介して受ける。第２入力部１１０ｂは入力端子群である。第２入力部１１０ｂは、例えば、第２供給回路２００ｂが出力した各種信号を、フレキシブル回路基板３００ｂを介して受ける。電気光学パネル１００は、第１入力部１１０ａが受けた各種信号と、第２入力部１１０ｂが受けた各種信号と、に基づいて駆動する。
【００２３】
ダミー負荷４００は、第１供給回路２００ａと第２供給回路２００ｂとの間の負荷の差を小さくするために用いられる。ダミー負荷４００の詳細については後述する。
【００２４】
フレキシブル回路基板３００ａおよび３００ｂには、信号を伝送するための配線（図１、２では省略）が設けられている。
【００２５】
フレキシブル回路基板３００ａの配線の一方の端部（接続端子３００ａ１）は、電気光学パネル１００の第１入力部１１０ａに接続されている。フレキシブル回路基板３００ａの配線の他方の端部は、制御回路５００（図３参照）が設けられている制御基板６００（図９参照）に接続されている。第１供給回路２００ａは、フレキシブル回路基板３００ａの配線を介して、電気光学パネル１００と制御回路５００とに電気的に接続されている。
【００２６】
フレキシブル回路基板３００ｂの配線の一方の端部（接続端子３００ｂ１）は、電気光学パネル１００の第２入力部１１０ｂに接続されている。フレキシブル回路基板３００ｂの配線の他方の端部は、制御回路５００が設けられている制御基板６００に接続されている。第２供給回路２００ｂは、フレキシブル回路基板３００ｂの配線を介して、電気光学パネル１００と制御回路５００とに電気的に接続されている。
【００２７】
第１供給回路２００ａは、制御回路５００からデジタルデータ信号Ｄ−ＶIDおよび駆動制御のための各種の信号を受信する。デジタルデータ信号Ｄ−ＶIDは、電気光学パネル１００内の画素ＰIX（図３参照）の階調を時分割で指定するデジタル信号である。第１供給回路２００ａは、制御回路５００から受信した信号に基づいて、電気光学パネル１００を駆動する。
【００２８】
第２供給回路２００ｂは、制御回路５００からデジタルデータ信号Ｄ−ＶIDおよび駆動制御のための各種の信号を受信する。第２供給回路２００ｂは、制御回路５００から受信した信号に基づいて、電気光学パネル１００を駆動する。
【００２９】
＜電気光学装置１の詳細＞
図３は、電気光学装置１の構成を模式的に示す図である。
電気光学装置１は、制御回路５００によって制御される。
電気光学パネル１００は、複数の画素ＰIXが行列状に配列されている画素部１０と、走査線駆動回路２０と、分配回路群２１と、ダミー負荷４００と、を備えている。
【００３０】
＜画素部１０＞
画素部１０には、走査線駆動回路２０から行方向（ｘ方向）に沿って延びるＭ（Ｍは２以上の自然数）本の走査線１２と、分配回路群２１から列方向（ｙ方向）に沿って延びるＮ（Ｎは２Ｋ（Ｋは２以上の自然数））本の信号線１４とが形成されている。Ｍ本の走査線１２は、複数の走査線の一例である。Ｍ本の走査線１２とＮ本の信号線１４は、絶縁層を介して互いに交差している。
【００３１】
複数の画素ＰIXは、各走査線１２と各信号線１４との交差の各々に対応して設けられている。このため、複数の画素ＰIXは、縦Ｍ行×横Ｎ行の行列状に配列されている。各画素ＰIXは、走査線１２の選択時の信号線１４の電位に応じた階調を表示する。
画素部１０は、全領域を表示有効領域としてもよいが、周辺部の一部を非表示領域として、周辺部の走査線１２、信号線１４、画素ＰIXをダミー走査線、ダミー信号線、ダミー画素として配置してもよい。
【００３２】
図４は、画素ＰIXの回路図である。各画素ＰIXは、液晶素子４２と選択スイッチ４４とを含んで構成されている。
【００３３】
液晶素子４２は、電気光学素子の一例である。液晶素子４２は、相対向する画素電極４２１および共通電極４２３と、画素電極４２１と共通電極４２３との間に介在する液晶４２５とを含んで構成されている。液晶４２５の透過率は、画素電極４２１と共通電極４２３との間の印加電圧に応じて変化する。なお、以下の説明では便宜的に、画素電極４２１が共通電極４２３よりも高電位である場合の液晶素子４２の印加電圧を「正極性」と称し、画素電極４２１が共通電極４２３よりも低電位である場合の印加電圧を「負極性」と称する。
【００３４】
選択スイッチ４４は、例えば、走査線１２にゲートが接続されたＮチャネル型の薄膜トランジスターで構成されている。選択スイッチ４４は、液晶素子４２（画素電極４２１）と信号線１４との間に介在して両者の電気的な接続（導通／非導通）を制御する。画素ＰIX（液晶素子４２）は、選択スイッチ４４がオン状態に制御されたときの信号線１４の電位に応じた階調を表示する。なお、液晶素子４２に対して並列に接続される補助容量等の図示は省略されている。また、画素ＰIXの構成は適宜に変更され得る。
【００３５】
説明を図３に戻す。Ｎ本の信号線１４は、Ｋ本を１単位としてＪ個の配線群（ブロック）Ｂ[ｊ]（ｊは、１≦ｊ≦Ｊの自然数、Ｊ＝Ｎ/Ｋ）に区分されている。すなわち、信号線１４は配線群ブロックＢ毎にグループ化される。Ｊ個の配線群Ｂ[１]〜Ｂ[Ｊ]は、Ｊ個のデータ線１６[１]〜１６[Ｊ]と１対１で対応する。データ線１６[１]〜１６[Ｊ]には、それぞれ、データ信号ＶID [１]〜ＶID[Ｊ]が供給される。本実施形態では、Ｊは２以上の偶数であり、１単位のＫ本の信号線１４は相隣接(連続配置)するため、奇数番目の配線群Ｂ[ｊｏｄｄ]と偶数番目の配線群Ｂ[ｊｅｖｅｎ]とが、交互に配置されている。データ信号ＶID [１]〜ＶID[Ｊ]は、データ信号ＶID [ｊｏｄｄ]およびデータ信号ＶID [ｊｅｖｅｎ]を含む。
【００３６】
Ｊ個の配線群Ｂ[１]〜Ｂ[Ｊ]のうち奇数番目の配線群Ｂ[ｊｏｄｄ]に属する信号線１４は、複数の第１信号線の一例である。配線群Ｂ[ｊｏｄｄ]は、奇数番目の配線群Ｂ[１]、Ｂ[３]・・・Ｂ[Ｊ−１]を含む。ｊｏｄｄは、「１、３・・・Ｊ−１」を意味する。
第１供給回路２００ａは、配線群Ｂ[ｊｏｄｄ]に属するＫ本の信号線１４に供給する電位を時分割で含むデータ信号ＶID[ｊｏｄｄ]を、第１入力部１１０ａを介して配線群Ｂ[ｊｏｄｄ]に対応するデータ線１６[ｊｏｄｄ]に出力する。
【００３７】
Ｊ個の配線群Ｂ[１]〜Ｂ[Ｊ]のうち偶数番目の配線群Ｂ[ｊｅｖｅｎ]に属する信号線１４は、複数の第２信号線の一例である。配線群Ｂ[ｊｅｖｅｎ]は、偶数番目の配線群Ｂ[２]、Ｂ[４]・・・Ｂ[Ｊ]を含む。ｊｅｖｅｎは、「２、４・・・Ｊ」を意味する。
第２供給回路２００ｂは、配線群Ｂ[ｊｅｖｅｎ]に属するＫ本の信号線１４に供給する電位を時分割で含むデータ信号ＶID[ｊｅｖｅｎ]を、第２入力部１１０ｂを介して配線群Ｂ[ｊｅｖｅｎ]に対応するデータ線１６[ｊｅｖｅｎ]に出力する。
【００３８】
＜制御回路５００＞
制御回路５００は、同期信号を含む各種の信号を用いて、走査線駆動回路２０と、第１供給回路２００ａと、第２供給回路２００ｂとを制御する。制御回路５００は、第１供給回路２００ａと第２供給回路２００ｂとを制御する制御部の一例である。以下、制御回路５００が有する機能の例を説明する。
【００３９】
制御回路５００は、図５に示すような、垂直走査期間Ｖを規定する垂直同期信号ＶSYNCと、水平走査期間を規定する水平同期信号ＨSYNCを、走査線駆動回路２０と、第１供給回路２００ａと、第２供給回路２００ｂとに出力する。
【００４０】
制御回路５００は、Ｍ本の走査線１２と奇数番目の配線群Ｂ[ｊｏｄｄ]に属する信号線１４との交差の各々に対応して設けられた複数の画素（複数の第１画素）ＰIXの階調を時分割で指定するデジタルデータ信号Ｄ−ＶID[ｊｏｄｄ]を、第１供給回路２００ａに出力する。また、制御回路５００は、図５に示すように、データ信号ＶID[ｊｏｄｄ]（図４に示した液晶素子４２の印加電圧）の極性が垂直走査期間Ｖごとに反転するように設定されたデジタルデータ信号Ｄ−ＶID[ｊｏｄｄ]を、第１供給回路２００ａに出力する。第１供給回路２００ａは、デジタルデータ信号Ｄ−ＶID[ｊｏｄｄ]を元にしてデータ信号ＶID[ｉｏｄｄ]を生成する。
ここで、制御回路５００が出力するデジタルデータ信号Ｄ−ＶID[ｊｏｄｄ]と、第１供給回路２００ａが出力するデータ信号ＶID[ｊｏｄｄ]との関係を説明する。
デジタルデータ信号Ｄ−ＶID[ｊｏｄｄ]は、複数の第１画素ＰIXの階調を時分割で指定する。一方、データ信号ＶID[ｊｏｄｄ]は、デジタルデータ信号Ｄ−ＶID[ｊｏｄｄ]が時分割で指定した階調に応じた電位を時分割で含む。データ信号ＶID[ｊｏｄｄ]は、第１データ信号の一例である。
【００４１】
制御回路５００は、Ｍ本の走査線１２と偶数番目の配線群Ｂ[ｊｅｖｅｎ]に属する信号線１４との交差の各々に対応して設けられた複数の画素（複数の第２画素）ＰIXの階調を時分割で指定するデジタルデータ信号Ｄ−ＶID[ｊｅｖｅｎ]を、第２供給回路２００ｂに出力する。制御回路５００は、図５に示すように、データ信号ＶID[ｊｅｖｅｎ]（図４に示した液晶素子４２の印加電圧）の極性が垂直走査期間Ｖごとに反転するように設定されたデジタルデータ信号Ｄ−ＶID[ｊｅｖｅｎ]を、第２供給回路２００ｂに出力する。第２供給回路２００ｂは、デジタルデータ信号Ｄ−ＶID[ｉｅｖｅｎ]を元にしてデータ信号ＶID[ｉｅｖｅｎ]を生成する。
ここで、制御回路５００が出力するデジタルデータ信号Ｄ−ＶID[ｊｅｖｅｎ]と、第２供給回路２００ｂが出力するデータ信号ＶID[ｊｅｖｅｎ]との関係を説明する。
デジタルデータ信号Ｄ−ＶID[ｊｅｖｅｎ]は、複数の第２画素ＰIXの階調を時分割で指定する。一方、データ信号ＶID[ｊｅｖｅｎ]は、デジタルデータ信号Ｄ−ＶID[ｊｅｖｅｎ]が時分割で指定した階調に応じた電位を時分割で含む。データ信号ＶID[ｊｅｖｅｎ]は、第２データ信号の一例である。
【００４２】
第１データ信号および第２データ信号は、いわゆるデータ信号であり、画像の表示に応じた異なる波形の信号であり、例えば、アナログ信号である。
【００４３】
また、制御回路５００は、各配線群Ｂ[ｊ] （ｊ＝１〜Ｊ）内の信号線１４の本数（Ｋ本）に相当するＫ系統の選択信号ＳＥＬ[１]〜ＳＥＬ[Ｋ]を生成する。制御回路５００は、選択信号ＳＥＬ[１]〜ＳＥＬ[Ｋ]を、第１供給回路２００ａと第２供給回路２００ｂに出力する。
選択信号ＳＥＬ[１]〜ＳＥＬ[Ｋ]は、選択信号の一例である。選択信号は、各配線群Ｂ[ｊ]に属するＫ本の信号線１４へのデータ信号ＶID[ｊ]の分配を制御する分配信号であり、タイミング信号である。選択信号は、配線群Ｂ[ｊｏｄｄ]に属する信号線１４へのデータ信号ＶID[ｊｏｄｄ]の分配と、配線群Ｂ[ｊｅｖｅｎ]に属する信号線１４へのデータ信号ＶID[ｊｅｖｅｎ]の分配と、を制御する信号である。
【００４４】
制御回路５００は、例えば、ＬＶＤＳ（Low Voltage Differential Signaling；小振幅差動信号方式）で、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを、第１供給回路２００ａに出力する。なお、制御回路５００は、ＬＶＤＳとは異なる方式で、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを、第１供給回路２００ａに出力してもよい。
また、制御回路５００は、例えば、ＬＶＤＳで、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを、第２供給回路２００ｂに出力する。なお、制御回路５００は、ＬＶＤＳとは異なる方式で、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを、第２供給回路２００ｂに出力してもよい。
【００４５】
＜走査線駆動回路２０＞
走査線駆動回路２０は、走査線駆動部の一例である。走査線駆動回路２０は、図５に示すように、水平同期信号ＨSYNCに応じて、走査信号Ｇ[１]〜Ｇ[Ｍ]をＭ本の走査線１２の各々に単位期間Ｕごとに順次出力して、Ｍ本の走査線１２の各々を順次選択する。単位期間Ｕは、水平同期信号ＨSYNCの１周期の時間長（水平走査期間（１Ｈ））に設定される。
【００４６】
図５に示すように、走査線駆動回路２０は、第ｍ行（第ｍライン）の走査線１２に供給される走査信号Ｇ[m]を、各垂直走査期間Ｖ内のＭ個の単位期間Ｕのうち第ｍ番目の単位期間Ｕ内にてハイレベル（走査線１２の選択を意味する電位）に設定する。走査線１２が選択される期間はライン期間とも呼ばれ、本実施形態では、ほぼ、単位期間Ｕに相当する。
【００４７】
走査線駆動回路２０が第ｍ行の走査線１２を選択すると、第ｍ行のＮ個の画素ＰIXの各選択スイッチ４４がオン状態に遷移する。
【００４８】
図５に示すように、単位期間Ｕは、プリチャージ期間ＴPREと書込期間ＴWRTとを含んでいる。
プリチャージ期間ＴPREは、書込期間ＴWRTの開始前に設けられている。なお、図５では、書込期間ＴWRTの前に１つのプリチャージ期間ＴPREが設けられているが、書込期間ＴWRTの前に複数（例えば２つ）のプリチャージ期間ＴPREが設けられてもよい。
書込期間ＴWRTでは、各画素ＰIXの指定階調に応じたデータ信号ＶID（電位）が、各信号線１４に供給される。プリチャージ期間ＴPREでは、所定のプリチャージ電位ＶPRE（ＶPREa、ＶPREb）が、各信号線１４に供給される。
【００４９】
＜分配回路群２１＞
説明を図３に戻す。分配回路群２１は、Ｊ個の分配回路２１[１]〜２１[Ｊ]を備えている。分配回路２１[１]〜２１[Ｊ]は、配線群Ｂ[１]〜Ｂ[Ｊ]に１対１で対応する。分配回路２１[１]〜２１[Ｊ]の各々として、例えば、デマルチプレクサーが用いられる。
【００５０】
図６は、分配回路２１[１]〜２１[Ｊ]と、第１供給回路２００ａと、第２供給回路２００ｂと、ダミー負荷４００との一例を示した図である。
【００５１】
第ｊ（ｊ＝１〜Ｊ）番目の分配回路２１[ｊ]は、第ｊ番目の配線群Ｂ[ｊ]のＫ本の信号線１４に対応するＫ個のスイッチ４０[１]〜４０[Ｋ]を含んで構成される。スイッチ４０[１]〜４０[Ｋ]の各々としては、例えば、トランジスターが用いられる。
【００５２】
分配回路２１[ｊ]内の第ｋ番目（ｋ＝１〜Ｋ）のスイッチ４０[ｋ]は、配線群Ｂ[ｊ]のＫ本の信号線１４のうち第ｋ列目の信号線１４と、Ｊ本のデータ線１６[１]〜１６[Ｊ]のうち第ｊ番目のデータ線１６[ｊ]との間に介在して、両者間の電気的な接続（導通／非導通）を制御する。
【００５３】
奇数番目の分配回路２１[ｊｏｄｄ]は、奇数番目のデータ線１６[ｊｏｄｄ]および第１入力部１１０ａを介して、第１供給回路２００ａと接続されている。第１供給回路２００ａは、第１入力部１１０ａおよび奇数番目のデータ線１６[ｊｏｄｄ]を介して、奇数番目の分配回路２１[ｊｏｄｄ]にデータ信号ＶID[ｊｏｄｄ]を出力する。
【００５４】
奇数番目の分配回路２１[ｊｏｄｄ]は、Ｋ本の第１選択信号線６０ａ[１]〜６０ａ[Ｋ]を含む第１選択信号線群６０ａおよび第１入力部１１０ａを介して、第１供給回路２００ａと接続されている。第１供給回路２００ａは、第１選択信号線群６０ａ内の第ｋ番目の第１選択信号線６０ａ[ｋ]を介して、奇数番目の分配回路２１[ｊｏｄｄ]に第１選択信号ＳＥＬ[ｋ]を出力する。第１選択信号ＳＥＬ１[１]〜ＳＥＬ１[Ｋ] は、第１供給回路２００ａが出力する選択信号ＳＥＬ[１]〜ＳＥＬ[Ｋ]である。
【００５５】
奇数番目の分配回路２１[ｊｏｄｄ]は、配線群Ｂ[ｊｏｄｄ]に属するＫ本の信号線１４へのデータ信号ＶID[ｊｏｄｄ]の分配を、第１供給回路２００ａが出力する第１選択信号ＳＥＬ１[１]〜ＳＥＬ１[Ｋ]を用いて行う。
分配回路２１[ｊｏｄｄ]は、第１選択信号ＳＥＬ１[１]〜ＳＥＬ１[Ｋ]を用いて、データ信号ＶID[ｊｏｄｄ]（第１データ信号）を配線群Ｂ[ｊｏｄｄ]に属するＫ本の信号線１４（複数の第１信号線）へ分配する第１分配動作を行う第１分配部の一例である。
【００５６】
偶数番目の分配回路２１[ｊｅｖｅｎ]は、偶数番目のデータ線１６[ｊｅｖｅｎ] および第２入力部１１０ｂを介して、第２供給回路２００ｂと接続されている。第２供給回路２００ｂは、第２入力部１１０ｂおよび偶数番目のデータ線１６[ｊｅｖｅｎ]を介して、偶数番目の分配回路２１[ｊｅｖｅｎ]にデータ信号ＶID[ｊｅｖｅｎ]を出力する。
【００５７】
偶数番目の分配回路２１[ｊｅｖｅｎ]は、第１選択信号線群６０ａを介して、第１供給回路２００ａと接続されている。第１供給回路２００ａは、第１選択信号線群６０ａ内の第ｋ番目の第１選択信号線６０ａ[ｋ]を介して、偶数番目の分配回路２１[ｊｅｖｅｎ]に第１選択信号ＳＥＬ１[ｋ]を出力する。
【００５８】
偶数番目の分配回路２１[ｊｅｖｅｎ]は、配線群Ｂ[ｊｅｖｅｎ]に属するＫ本の信号線１４へのデータ信号ＶID[ｊｅｖｅｎ]の分配を、第１供給回路２００ａが出力する第１選択信号ＳＥＬ１[１]〜ＳＥＬ１[Ｋ]を用いて行う。
分配回路２１[ｊｅｖｅｎ]は、第１選択信号ＳＥＬ１[１]〜ＳＥＬ１[Ｋ]を用いて、データ信号ＶID[ｊｅｖｅｎ]（第２データ信号）を配線群Ｂ[ｊｅｖｅｎ]に属するＫ本の信号線１４（複数の第２信号線）へ分配する第２分配動作を行う第２分配部の一例である。
【００５９】
第１供給回路２００ａが出力する第１データ信号（データ信号ＶID[ｊｏｄｄ]）は、第１入力部１１０ａおよび奇数番目のデータ線１６[ｊｏｄｄ] を介して、奇数番目の分配回路２１ [ｊｏｄｄ]に供給される。第２供給回路２００ｂが出力する第２データ信号（データ信号ＶID[ｊｅｖｅｎ]）は、第２入力部１１０ｂおよび偶数番目のデータ線１６[ｊｅｖｅｎ] を介して、偶数番目の分配回路２１ [ｊｅｖｅｎ]に供給される。データ線１６[ｊｏｄｄ]と、データ線１６[ｊｅｖｅｎ]は交互に並ぶように配置される。第１入力部１１０ａと第２入力部１１０ｂとは、電気光学パネル１００の縦方向（ｙ方向）に間隔を空けて並んで配置されている。
この場合、データ線１６[ｊ]のピッチを、データ線１６[ｊｏｄｄ]のピッチおよびデータ線１６[ｊｅｖｅｎ]のピッチよりも小さくできる。また、第１データ信号が供給される画素群（複数の第１画素）と第２データ信号が供給される画素群（複数の第２画素）とを交互に配置しやすくなる。このような画素群の配置が行われると、画素群間の画質の違いを目立ちにくくできる。また、電気光学パネル１００の横方向（ｘ方向）のサイズを大きくすることなく、高精細な画像を表示することが可能となる。
【００６０】
＜第１供給回路２００ａ＞
第１供給回路２００ａは、第１供給部の一例である。第１供給回路２００ａは、データ信号ＶID[ｊｏｄｄ]を出力する第１出力部２００ａ１と、第１選択信号ＳＥＬ１[１]〜ＳＥＬ１[Ｋ]を出力する第２出力部２００ａ２および第３出力部２００ａ３を備えている。第１出力部２００ａ１は、第２出力部２００ａ２と第３出力部２００ａ３との間に設けられている。
【００６１】
図３に示すように、第１供給回路２００ａは、制御回路５００から、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを受信する。
第１供給回路２００ａは、デジタルデータ信号Ｄ−ＶID[ｊｏｄｄ]からデータ信号ＶID[ｊｏｄｄ]を生成する。第１供給回路２００ａは、垂直同期信号ＶSYNCと水平同期信号ＨSYNCとに応じたタイミングで、データ信号ＶID[ｊｏｄｄ]を第１出力部２００ａ１からデータ線１６[ｊｏｄｄ]に出力し、図６に示すように第１選択信号ＳＥＬ１[１]〜ＳＥＬ１[Ｋ]を第２出力部２００ａ２および第３出力部２００ａ３の各々から第１選択信号線６０ａ[１]〜６０ａ[Ｋ]にそれぞれ出力する。
分配回路２１[１]〜２１[Ｊ]は、第１選択信号線６０ａ[１]〜６０ａ[Ｋ]から第１選択信号ＳＥＬ１[１]〜ＳＥＬ１[Ｋ]を受け取り、その第１選択信号ＳＥＬ１[１]〜ＳＥＬ１[Ｋ]を用いて、データ信号ＶIDを信号線１４に分配する。
【００６２】
＜第２供給回路２００ｂ＞
第２供給回路２００ｂは、第２供給部の一例である。第２供給回路２００ｂは、データ信号ＶID[ｊｅｖｅｎ]を出力する第４出力部２００ｂ１と、第２選択信号ＳＥＬ２[１]〜ＳＥＬ２[Ｋ]を出力する第５出力部２００ｂ２および第６出力部２００ｂ３を備えている。第４出力部２００ｂ１は、第５出力部２００ｂ２と第６出力部２００ｂ３との間に設けられている。第２選択信号ＳＥＬ２[１]〜ＳＥＬ２[Ｋ]は、それぞれ、第１選択信号ＳＥＬ１[１]〜ＳＥＬ１[Ｋ]と同じタイミングのタイミング信号である。
【００６３】
図３に示すように、第２供給回路２００ｂは、制御回路５００から、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを受信する。
第２供給動回路２００ｂは、デジタルデータ信号Ｄ−ＶID[ｊｅｖｅｎ]からデータ信号ＶID[ｊｅｖｅｎ]を生成する。第２供給回路２００ｂは、垂直同期信号ＶSYNCと水平同期信号ＨSYNCとに応じたタイミングで、データ信号ＶID[ｊｅｖｅｎ]を第４出力部２００ｂ１からデータ線１６[ｊｅｖｅｎ]に出力し、第２選択信号ＳＥＬ２[１]〜ＳＥＬ２[Ｋ]を、第５出力部２００ｂ２および第６出力部２００ｂ３の各々から、Ｋ本の第２選択信号線６０ｂ[１]〜６０ｂ[Ｋ]にそれぞれ出力する。
第２選択信号線６０ｂ[１]〜６０ｂ[Ｋ]は、第２供給回路２００ｂの第２選択信号ＳＥＬ２[１]〜ＳＥＬ２[Ｋ]の出力線の一例である。第２選択信号線６０ｂ[１]〜６０ｂ[Ｋ]は、第２選択信号線群６０ｂに含まれる。第２選択信号線群６０ｂは、ダミー負荷４００と接続されている。
【００６４】
＜ダミー負荷４００＞
図７は、ダミー負荷４００の一例を示した図である。
ダミー負荷４００は、第２選択信号線６０ｂ[ｋ]ごとに接続された抵抗Ｒ１[ｋ]およびＲ２[ｋ]並びに容量Ｃ[ｋ]で構成されている。
ダミー負荷４００における負荷の値は、第１供給回路２００ａの第１選択信号ＳＥＬ１[１]〜ＳＥＬ１[Ｋ]に関する負荷（例えば、分配回路２１[１]〜２１[Ｊ]のスイッチ４０[１]〜[Ｋ]および第１選択信号線６０ａ[１]〜６０ａ[Ｋ]に関する負荷）に応じて設定される。例えば、ダミー負荷４００の値は、第１供給回路２００ａの第１選択信号ＳＥＬ１[１]〜ＳＥＬ１[Ｋ]に関する負荷と一致するように設定される。
ダミー負荷４００は、第２供給回路２００ｂの第５出力部２００ｂ２と接続されている第２選択信号線６０ｂ[ｋ]と、第２供給回路２００ｂの第６出力部２００ｂ３との間に接続されている。
本実施形態では、ダミー負荷は、第１分配部および第２分配部のいずれにも接続されない抵抗および容量を有する負荷部である。
【００６５】
本実施形態では、第１選択信号ＳＥＬ１[１]〜ＳＥＬ１[Ｋ]および第２選択信号ＳＥＬ２[１]〜ＳＥＬ２[Ｋ]は、同じ波形の信号として出力され、分配回路２１[ｊ]内のスイッチ４０[ｋ]を所定時間オンとするパルス信号である。
【００６６】
本実施形態では、上記説明のように、第１供給回路２００ａは、データ信号ＶID[ｊｏｄｄ]を奇数番目の分配回路２１[ｊｏｄｄ]に出力する。また、第１供給回路２００ａは、第１選択信号ＳＥＬ１[ｋ]を第１選択信号線６０ａ[ｋ]を介して、奇数番目の分配回路２１[ｊｏｄｄ]および偶数番目の分配回路２１[ｊｅｖｅｎ]に出力する。一方、第２供給回路２００ｂは、データ信号ＶID[ｊｅｖｅｎ]を偶数番目の分配回路２１[ｊｅｖｅｎ]に出力する。また、第２供給回路２００ｂは、第２選択信号ＳＥＬ２[ｋ]を第２選択信号線６０ｂ[ｋ]に出力する。第２選択信号線６０ｂ[ｋ]は、ダミー負荷と接続されている。
すなわち、第１供給回路は、第１データ信号を第１分配回路に接続するデータ線に出力し、第１選択信号を第１分配回路と第２分配回路に接続する第１選択信号線に出力し、第２供給回路は、第２データ信号を２分配回路に接続するデータ線に出力し、第２選択信号をダミー負荷が接続される第２選択信号線に出力する。
【００６７】
＜動作の概要＞
次に、電気光学装置１の動作の概要を説明する。
第１供給回路２００ａは、データ信号ＶID[ｊｏｄｄ]（第１データ信号）を、第１出力部２００ａ１からデータ線１６[ｊｏｄｄ]に出力する。第１供給回路２００ａは、さらに、第１選択信号ＳＥＬ１[１]〜ＳＥＬ１[Ｋ]を、第２出力部２００ａ２および第３出力部２００ａ３の各々から、第１選択信号線６０ａ[１]〜６０ａ[Ｋ]にそれぞれ出力する。
【００６８】
第２供給回路２００ｂは、データ信号ＶID[ｊｅｖｅｎ]（第２データ信号）を、第４出力部２００ｂ１からデータ線１６[ｊｅｖｅｎ]に出力する。第２供給回路２００ｂは、さらに、第２選択信号ＳＥＬ２[１]〜ＳＥＬ２[Ｋ]を、第５出力部２００ｂ２および第６出力部２００ｂ３の各々から、ダミー負荷４００と接続された第２選択信号線６０ｂ[１]〜６０ｂ[Ｋ]にそれぞれ出力する。
【００６９】
分配回路２１[ｊｏｄｄ]は、第１選択信号ＳＥＬ１[１]〜ＳＥＬ１[Ｋ]を用いて、データ信号ＶID[ｊｏｄｄ]を配線群Ｂ[ｊｏｄｄ]内のＫ本の信号線１４に分配する第１分配動作を行う。
分配回路２１[ｊｅｖｅｎ]は、第１選択信号ＳＥＬ１[１]〜ＳＥＬ１[Ｋ]を用いて、データ信号ＶID[ｊｅｖｅｎ]を配線群Ｂ[ｊｅｖｅｎ]内のＫ本の信号線１４に分配する第２分配動作を行う。
【００７０】
このように、第１供給回路２００ａが出力した第１選択信号ＳＥＬ１[１]〜ＳＥＬ１[Ｋ]は、分配回路２１[ｊｏｄｄ]および分配回路２１[ｊｅｖｅｎ]で使用される。
一方、第２供給回路２００ｂが出力した第２選択信号ＳＥＬ２[１]〜ＳＥＬ２[Ｋ]は、分配回路２１[ｊｏｄｄ]および分配回路２１[ｊｅｖｅｎ]のいずれでも使用されないが、ダミー負荷４００に供給される。
このため、第１供給回路２００ａと第２供給回路２００ｂとの間の負荷の差が小さくなる。よって、第１供給回路２００ａと第２供給回路２００ｂとの間の負荷の相違に起因するデータ信号ＶID[ｊｏｄｄ]とデータ信号ＶID[ｊｅｖｅｎ]との間のばらつきを低減可能になる。したがって、画質の低下を抑制可能となる。
【００７１】
＜動作の詳細な説明＞
＜１．プリチャージ動作＞
まず、プリチャージ動作について説明する。
【００７２】
第１供給回路２００ａは、図５に示すように、プリチャージ期間ＴPREでは、データ信号ＶID[ｊｏｄｄ]をプリチャージ電位ＶPRE（ＶPREaとＶPREbとのいずれか）に設定する。プリチャージ電位ＶPREは、所定の基準電位ＶREF（例えばデータ信号ＶIDの振幅中心に相当する電位）に対して負極性の電位に設定される。
【００７３】
図５に示すように、データ信号ＶID[ｊｏｄｄ]の電位が基準電位ＶREFに対して正極性に設定される書込期間ＴWRTの直前のプリチャージ期間ＴPREでは、第１供給回路２００ａは、データ信号ＶID[ｊｏｄｄ]を、プリチャージ電位ＶPREaに設定する。
一方、データ信号ＶID[ｊｏｄｄ]の電位が基準電位ＶREFに対して負極性に設定される書込期間ＴWRTの直前のプリチャージ期間ＴPREでは、第１供給回路２００ａは、データ信号ＶID[ｊｏｄｄ]を、プリチャージ電位ＶPREbに設定する。
なお、プリチャージ電位ＶPREaは、プリチャージ電位ＶPREbよりも低い電位である。さらに言えば、プリチャージ電位ＶPREaと基準電位ＶREFとの差は、プリチャージ電位ＶPREbと基準電位ＶREFとの差よりも大きい。
【００７４】
そして、第１供給回路２００ａは、プリチャージ期間ＴPREの間、第１選択信号ＳＥＬ１[１]〜ＳＥＬ１[Ｋ]を一斉にアクティブレベル（スイッチ４０[ｋ]をオン状態に遷移させる電位）に設定する（図５のＳＥＬ[１]〜ＳＥＬ[Ｋ]参照）。
【００７５】
第２供給回路２００ｂは、図５に示すように、プリチャージ期間ＴPREでは、データ信号ＶID[ｊｅｖｅｎ]をプリチャージ電位ＶPRE（ＶPREaとＶPREbとのいずれか）に設定する。
【００７６】
データ信号ＶID[ｊｏｄｄ]と同様に、データ信号ＶID[ｊｅｖｅｎ]の電位が基準電位ＶREFに対して正極性に設定される書込期間ＴWRTの直前のプリチャージ期間ＴPREでは、第２供給回路２００ｂは、データ信号ＶID[ｊｅｖｅｎ]を、プリチャージ電位ＶPREaに設定する。
一方、データ信号ＶID[ｊｅｖｅｎ]の電位が基準電位ＶREFに対して負極性に設定される書込期間ＴWRTの直前のプリチャージ期間ＴPREでは、第２供給回路２００ｂは、データ信号ＶID[ｊｅｖｅｎ]を、プリチャージ電位ＶPREbに設定する。
【００７７】
そして、第２供給回路２００ｂは、プリチャージ期間ＴPREの間、第２選択信号ＳＥＬ２[１]〜ＳＥＬ２[Ｋ]を一斉にアクティブレベルに設定する。
【００７８】
このため、プリチャージ期間ＴPREでは、第１供給回路２００ａが出力した第１選択信号ＳＥＬ１[１]〜ＳＥＬ１[Ｋ]によって、分配回路群２１内のすべてのスイッチ４０[ｋ]はオン状態に遷移し、分配回路群２１と接続する信号線１４の各々（さらには各画素ＰIX内の画素電極４２１）に対して並列にプリチャージ電位ＶPREが供給される。
この際、第２供給回路２００ｂが出力した第２選択信号ＳＥＬ２[１]〜ＳＥＬ２[Ｋ]は、ダミー負荷４００に供給される。
よって、プリチャージ期間ＴPREにおいても、第２選択信号ＳＥＬ２[１]〜ＳＥＬ２[Ｋ]がダミー負荷４００にも分配回路[ｊ]にも供給されない場合に比べて、第１供給回路２００ａと第２供給回路２００ｂとの間で、負荷の差が小さくなり、選択信号の出力に伴う電源電圧の変動の差が小さくなる。このため、データ信号ＶID[ｊｏｄｄ]とデータ信号ＶID[ｊｅｖｅｎ]との間のばらつきを低減でき、プリチャージの効果のばらつきが低減可能になる。したがって、画質の低下を抑制可能となる。
【００７９】
＜２．書込み動作＞
次に、書込み動作について説明する。
【００８０】
第１供給回路２００ａは、第ｍ行の走査線１２の選択期間内の書込期間ＴWRTでは、データ信号ＶID[ｊｏｄｄ]の電位を、第ｍ行の走査線１２と配線群Ｂ[ｊｏｄｄ]内の信号線１４との各交差に対応する画素ＰIXの指定階調に応じた電位に時分割で設定する。各画素ＰIXの指定階調は、制御回路５００から供給されるデジタルデータ信号Ｄ−ＶID[ｊｏｄｄ]で規定されている。
第１供給回路２００ａは、いわゆる焼き付きを防止するため、基準電位ＶREFに対するデータ信号ＶID[ｊｏｄｄ]の電位の極性を、周期的（例えば垂直走査期間Ｖごと）に順次に反転する。
【００８１】
また、第１供給回路２００ａは、書込期間ＴWRTでは第１選択信号ＳＥＬ１[１]〜ＳＥＬ１[Ｋ]を、Ｋ個の選択期間Ｓ[１]〜Ｓ[Ｋ]にて、順番にアクティブレベルに設定する（図５に示したＳＥＬ[１]〜ＳＥＬ[Ｋ]参照）。
【００８２】
第２供給回路２００ｂは、第ｍ行の走査線１２の選択期間内の書込期間ＴWRTでは、データ信号ＶID[ｊｅｖｅｎ]の電位を、第ｍ行の走査線１２と配線群Ｂ[ｊｅｖｅｎ]内の信号線１４との各交差に対応する画素ＰIXの指定階調に応じた電位に時分割で設定する。各画素ＰIXの指定階調は、制御回路５００から供給されるデジタルデータ信号Ｄ−ＶID[ｊｅｖｅｎ]で規定されている。
また、第２供給回路２００ｂは、基準電位ＶREFに対するデータ信号ＶID[ｊｅｖｅｎ]の電位の極性を、周期的（例えば垂直走査期間Ｖごと）に順次に反転する。
【００８３】
また、第２供給回路２００ｂは、書込期間ＴWRTでは第２選択信号ＳＥＬ２[１]〜ＳＥＬ２[Ｋ]を、Ｋ個の選択期間Ｓ[１]〜Ｓ[Ｋ]にて、順番にアクティブレベルに設定する。
【００８４】
第ｍ行の走査線１２が選択された期間において、選択期間Ｓ[ｋ]では、分配回路２１[１]〜２１[Ｊ]の各々におけるＫ個のスイッチ４０[１]〜４０[Ｋ]のうち第ｋ番目のスイッチ４０[ｋ]（合計Ｊ個のスイッチ４０[ｋ]）が、第１供給回路２００ａが出力した第１選択信号ＳＥＬ１[ｋ]によって、オン状態に遷移する。これにより、各配線群Ｂ[ｊ]の第ｋ列目の信号線１４に、データ信号ＶID[ｊ]の電位が供給される。
すなわち、各単位期間Ｕ内の書込期間ＴWRTでは、Ｊ個の配線群Ｂ[１]〜Ｂ[Ｊ]の各々において、配線群Ｂ[ｊ]内のＫ本の信号線１４に、データ信号ＶID[ｊ]の電位が時分割で供給される。そして、第ｍ行の走査線１２と配線群Ｂ[ｊ]内の第ｋ列目の信号線１４との各交差に対応する画素ＰIXに指定階調に応じた電位が書き込まれる。
この際、第２供給回路２００ｂが出力した第２選択信号ＳＥＬ２[１]〜ＳＥＬ２[Ｋ]は、ダミー負荷４００に供給される。
よって、書込期間ＴWRTにおいても、第２選択信号ＳＥＬ２[１]〜ＳＥＬ２[Ｋ]がダミー負荷４００にも分配回路２１[ｊ]にも供給されない場合に比べて、第１供給回路２００ａと第２供給回路２００ｂとの間で、負荷の差が小さくなり、選択信号の出力に伴う電源電圧の変動の差が小さくなる。このため、データ信号ＶID[ｊｏｄｄ]とデータ信号ＶID[ｊｅｖｅｎ]との間のばらつきを低減可能になる。したがって、画質の低下を抑制可能となる。
【００８５】
＜分配回路２１[ｊ]の配列方向と第１入力部１１０ａと第２入力部１１０ｂの配列方向＞
図８は、分配回路２１[１]〜２１[Ｊ]の配列方向と、第１入力部１１０ａと第２入力部１１０ｂの配列方向との一例を示した図である。なお、図８では、説明の簡略化のために、電気光学装置１から第１供給回路２００ａとフレキシブル回路基板３００ａとを省略している。
図８に示すように、分配回路２１[１]〜２１[Ｊ]は、走査線１２の延びる行方向（ｘ方向）に沿って配列している。第１入力部１１０ａの各入力端子および第２入力部１１０ｂの各入力端子は、それぞれ、行方向に配列している。一方、第１入力部１１０ａと第２入力部１１０ｂは、信号線１４の延びる列方向（ｙ方向）に沿って配列している。
このため、第１入力部１１０ａと第２入力部１１０ｂとの配列方向が、列方向（ｘ方向）に配列する場合に比べて、電気光学装置１のｘ方向のサイズ（幅）を小さくできる。
【００８６】
なお、第１入力部１１０ａは、第１供給回路２００ａからデータ信号ＶID[ｊｏｄｄ]と第１選択信号ＳＥＬ１[１]〜ＳＥＬ１[Ｋ]とを受ける。第２入力部１１０ｂは、第２供給回路２００ｂからデータ信号ＶID[ｊｅｖｅｎ]と第２選択信号ＳＥＬ２[１]〜ＳＥＬ２[Ｋ]とを受ける。分配回路２１[ｊｏｄｄ]は、第１入力部１１０ａを介して、データ信号ＶID[ｊｏｄｄ]と第１選択信号ＳＥＬ１[１]〜ＳＥＬ１[Ｋ]とを受ける。分配回路２１[ｊｅｖｅｎ]は、第１入力部１１０ａを介して第１選択信号ＳＥＬ１[１]〜ＳＥＬ１[Ｋ]を受け、第２入力部１１０ｂを介してデータ信号ＶID[ｊｅｖｅｎ]を受ける。ダミー負荷４００には、第２入力部１１０ｂを介して第２選択信号ＳＥＬ２[１]〜ＳＥＬ２[Ｋ]が供給される。
【００８７】
第１入力部１１０ａは、第２入力部１１０ｂよりも、分配回路２１[１]〜２１[Ｊ]側に設けられている。そして、ダミー負荷４００は、第１入力部１１０ａと分配回路２１[１]〜２１[Ｊ]との間に設けられている。
このため、ダミー負荷４００を、分配回路２１[１]〜２１[Ｊ]に近づけることが可能になる。このため、分配回路２１[１]〜２１[Ｊ]が外部環境から受ける影響（例えば温度）とダミー負荷４００が外部環境から受ける影響との差を小さくできる。外部環境から受ける影響（例えば温度）の差は、負荷の大きさに影響するため、この差を小さくすることで、第１供給回路２００ａと第２供給回路２００ｂとの間の負荷の差が大きくなることを抑制可能になる。
【００８８】
なお、第１選択信号ＳＥＬ１[１]〜ＳＥＬ１[Ｋ]を伝送する配線（第１選択信号線６０ａ[１]〜６０ａ[Ｋ]）には抵抗が存在し、その配線間には容量が存在する。このため、第１選択信号ＳＥＬ１[１]〜ＳＥＬ１[Ｋ]を伝送する配線が長くなると、第１選択信号ＳＥＬ１[１]〜ＳＥＬ１[Ｋ]の遅延量が大きくなる。よって、第１選択信号ＳＥＬ１[１]〜ＳＥＬ１[Ｋ]の出力元から各々の分配回路２１[ｊ]までの間の配線の長さの差に応じて、第１選択信号ＳＥＬ１[１]〜ＳＥＬ１[Ｋ]の遅延量が異なってしまう。第１選択信号ＳＥＬ１[１]〜ＳＥＬ１[Ｋ]の遅延量の差は、データ信号ＶIDの書込タイミングのばらつきを生じさせるため、画質の低下を引き起こすおそれがある。
【００８９】
本実施形態では、図３および図６に示したように、第２出力部２００ａ２と第３出力部２００ａ３は、第１出力部２００ａ１を挟む位置に設けられている。このため、分配回路２１[ｊ]は、複数箇所（第２出力部２００ａ２と第３出力部２００ａ３）から出力された第１選択信号ＳＥＬ１[１]〜ＳＥＬ１[Ｋ]を用いて分配動作を制御可能となる。
よって、単一の箇所から第１選択信号ＳＥＬ１[１]〜ＳＥＬ１[Ｋ]が出力される場合に比べて、第１選択信号ＳＥＬ１[１]〜ＳＥＬ１[Ｋ]の出力元から各々の分配回路２１[ｊ]までの間の第１選択信号ＳＥＬ１[１]〜ＳＥＬ１[Ｋ]の伝送線の長さの差を短くでき、第１選択信号ＳＥＬ１[１]〜ＳＥＬ１[Ｋ]の遅延量の差を小さくできる。よって、第１選択信号ＳＥＬ１[１]〜ＳＥＬ１[Ｋ]の遅延量の差に基づく画質の乱れを低減可能になる。
また、第１出力部２００ａ１と第２出力部２００ａ２と第３出力部２００ａ３との位置関係が、第４出力部２００ｂ１と第５出力部２００ｂ２と第６出力部２００ｂ３との位置関係と等しいので、第１供給回路２００ａの構成と、第２供給回路２００ｂの構成とを同一にすることが可能になる。よって、電気光学装置１の構成部品の種類を少なくできる。
【００９０】
本実施形態では、ダミー負荷４００は、表示用基板の一例である電気光学パネル１００に設けられている。このため、ダミー負荷専用の新たな基板を設ける必要がなく、構成の小型化を図ることが可能になる。
【００９１】
なお、図７に示した抵抗Ｒ１およびＲ２として可変抵抗が用いられてもよい。この場合、可変抵抗の抵抗値の調整は、例えば、制御回路５００からの抵抗値指示信号によって行われる。抵抗値指示信号は、電気光学装置１の製造時に出力され、ダミー負荷４００に設けられたメモリ（不図示）に保持される。その後、可変抵抗の抵抗値は、メモリに保持された抵抗値指示信号によって決定される。
また、図７に示した容量Ｃとして可変容量が用いられてもよい。可変容量の容量値の調整は、製造時に行われる。
【００９２】
本実施形態では、Ｎ本の信号線１４は、連続するＫ本を１単位としてＪ個の配線群Ｂ[ｊ]に区分されていたが、連続しないＫ本を１単位としてＪ個の配線群Ｂ[ｊ]に区分されてもよい。例えば、配線群Ｂ[ｊｏｄｄ]に属する信号線１４と配線群Ｂ[ｊｅｖｅｎ]に属する信号線１４が交互に配置されてもよい。この場合でも、配線群Ｂ[ｊｏｄｄ]と配線群Ｂ[ｊｅｖｅｎ]は、奇数番目の配線群と偶数番目の配線群とも言える。また、第１画素および第２画素は、それぞれ、第１供給回路２００ａおよび第２供給回路２００ｂから信号が供給される。
第１データ信号および第１選択信号は、第１供給回路２００ａが供給する信号であり、第１信号線は、第１供給回路２００ａから信号が供給される配線である。また、第２データ信号および第２選択信号は、第２供給回路２００ｂが供給する信号であり、第２信号線は、第２供給回路２００ｂから信号が供給される配線である。また、第１分配部および第２分配部は、それぞれ、第１供給回路２００ａおよび第２供給回路２００ｂからの信号を分配する。
【００９３】
＜第２実施形態＞
本発明を採用した第２実施形態に係る電気光学装置１Ａは、ダミー負荷４００が制御回路５００の設けられている制御基板６００に設けられている点で、第１実施形態に係る電気光学装置１と相違する。
【００９４】
図９は、第２実施形態に係る電気光学装置１Ａを示した図である。図９において、図２に示した構成と同一構成のものには同一符号を付してある。図９では、説明の簡略化のために、電気光学装置１Ａから第１供給回路２００ａとフレキシブル回路基板３００ａとが省略されている。
電気光学装置１Ａでは、ダミー負荷４００が、制御回路５００の設けられている制御基板６００に設けられている。
【００９５】
第２供給回路２００ｂの第５出力部２００ｂ２は、フレキシブル回路基板３００ｂに設けられた配線群Ｌ１とコネクタ端子３００ｂ１とを介して、ダミー負荷４００と接続されている。配線群Ｌ１は、第５出力部２００ｂ２が出力する第２選択信号ＳＥＬ２[１]〜ＳＥＬ２[Ｋ]と１対１で対応するＫ本の配線を有し、このＫ本の配線は、それぞれ、対応する第２選択信号ＳＥＬ２[ｋ]を、ダミー負荷４００と接続されているコネクタ端子３００ｂ１に供給する。
【００９６】
第２供給回路２００ｂの第６出力部２００ｂ３は、フレキシブル回路基板３００ｂに設けられた配線群Ｌ２とコネクタ端子３００ｂ１とを介して、ダミー負荷４００と接続されている。配線群Ｌ２は、第６出力部２００ｂ３が出力する第２選択信号ＳＥＬ２[１]〜ＳＥＬ２[Ｋ]と１対１で対応するＫ本の配線を有し、このＫ本の配線は、それぞれ、対応する選択信号ＳＥＬ２[ｋ]を、ダミー負荷４００と接続されているコネクタ端子３００ｂ１に供給する。
【００９７】
本実施形態によれば、制御基板６００にダミー負荷４００が設けられるので、ダミー負荷専用の新たな基板を設ける必要がなく、構成の小型化を図ることが可能になる。
また、例えば、ダミー負荷４００を可変抵抗（例えば、電子ボリュームにて抵抗値を変更可能な可変抵抗）または可変容量等で構成すれば、ダミー負荷４００における負荷の大きさを調整可能になる。この場合、可変抵抗の抵抗値または可変容量の容量は、例えば、制御回路５００にて設定される。可変抵抗の抵抗値の設定手法としては、例えば、第１実施形態で説明した手法と同様の手法が用いられる。
【００９８】
＜第３実施形態＞
本発明を採用した第３実施形態に係る電気光学装置１Ｂは、ダミー負荷４００が第２供給回路２００ｂの設けられているフレキシブル回路基板３００ｂに設けられている点で第１実施形態に係る電気光学装置１と相違する。
【００９９】
図１０は、第３実施形態に係る電気光学装置１Ｂを示した図である。図１０において、図２に示した構成と同一構成のものには同一符号を付してある。なお、図１０では、説明の簡略化のために、電気光学装置１Ｂから第１供給回路２００ａとフレキシブル回路基板３００ａとが省略されている。
【０１００】
図１０に示したように、電気光学装置１Ｂでは、ダミー負荷４００がフレキシブル回路基板３００ｂ上に設けられている。具体的には、フレキシブル回路基板３００ｂには、ダミー負荷４００が設けられたフレキシブル回路基板４００ａが搭載されている。フレキシブル回路基板３００ｂの配線のうち、第２供給回路２００ｂが出力する第２選択信号ＳＥＬ２[１]〜ＳＥＬ２[Ｋ]の各々を伝送する配線は、フレキシブル回路基板４００ａにおいてダミー負荷４００と接続されている配線と接続されている。
【０１０１】
図１１は、フレキシブル回路基板３００ｂのうち、配線Ｌ３[１]〜Ｌ３[Ｋ]と配線Ｌ４[１]〜Ｌ４[Ｋ]とを中心に示した図である。配線Ｌ３[ｋ]は、第２供給回路２００ｂの第５出力部２００ｂ２が出力した第２選択信号ＳＥＬ２[ｋ]を伝送する。配線Ｌ４[ｋ]は、第２供給回路２００ｂの第６出力部２００ｂ３が出力した第２選択信号ＳＥＬ２[ｋ]を伝送する。配線Ｌ３[ｋ]には接続用パッドＰ１[ｋ]が設けられ、配線Ｌ４[ｋ]には、接続用パッドＰ２[ｋ]が設けられている。
【０１０２】
図１２は、ダミー負荷４００が設けられたフレキシブル回路基板４００ａを示した図である。
フレキシブル回路基板４００ａには、フレキシブル回路基板３００ｂの配線Ｌ３[１]〜Ｌ３[Ｋ]と１対１で対応する配線Ｌ５[１]〜Ｌ５[Ｋ]と、フレキシブル回路基板３００ａの配線Ｌ４[１]〜Ｌ４[Ｋ]と１対１で対応する配線Ｌ６[１]〜Ｌ６[Ｋ]が設けられている。配線Ｌ５[１]〜Ｌ５[Ｋ]および配線Ｌ６[１]〜Ｌ６[Ｋ]は、ダミー負荷４００と接続されている。
配線Ｌ５[ｋ]には、フレキシブル回路基板３００ｂの接続用パッドＰ１[ｋ]と対向する位置に、接続用パッドＰ３[ｋ]が設けられている。接続用パッドＰ３[１]〜Ｐ３[Ｋ]は、接続用パッドＰ１[１]〜Ｐ１[Ｋ]と１対１で対応する。
【０１０３】
接続用パッドＰ１[ｋ]は、接続用パッドＰ３[ｋ]と、導電性の接着層で電気的に接続される。また、接続用パッドＰ２[ｋ]は、接続用パッドＰ４[ｋ]と、導電性の接着層で電気的に接続される。
【０１０４】
本実施形態によれば、第２供給回路２００ｂが設けられたフレキシブル回路基板３００ｂ上にダミー負荷４００が設けられるので、ダミー負荷専用の新たな基板を設ける必要がなく、構成の小型化を図ることが可能になる。
また、フレキシブル回路基板３００ｂから電気光学パネル１００または制御基板６００へコネクタ端子を介して第２選択信号ＳＥＬ２[１]〜ＳＥＬ２[Ｋ]を出力する必要がなくなる。このため、フレキシブル回路基板３００ｂに、第２選択信号ＳＥＬ２[１]〜ＳＥＬ２[Ｋ]を電気光学パネル１００に伝送するためのコネクタ端子、または、第２選択信号ＳＥＬ２[１]〜ＳＥＬ２[Ｋ]を制御基板６００に伝送するためのコネクタ端子を設ける必要がなくなり、フレキシブル回路基板３００ｂにおけるコネクタ端子の数を削減可能になる。
【０１０５】
＜第４実施形態＞
本発明を採用した第４実施形態に係る電気光学装置１Ｃは、ダミー負荷４００が第２供給回路２００ｂに設けられている点で第１実施形態に係る電気光学装置１と相違する。
【０１０６】
図１３は、第４実施形態に係る電気光学装置１Ｃを示した図である。図１３において、図２に示した構成と同一構成のものには同一符号を付してある。なお、図１３では、説明の簡略化のために、電気光学装置１Ｃから第１供給回路２００ａとフレキシブル回路基板３００ａとが省略されている。
【０１０７】
電気光学装置１Ｃでは、ダミー負荷４００が第１供給回路２００ａおよび第２供給回路２００ｂに設けられている。
しかしながら、第１供給回路２００ａでは、ダミー負荷４００は、第１選択信号ＳＥＬ１[１]〜ＳＥＬ１[Ｋ]の出力端子である第２出力部２００ａ２および第３出力部２００ａ３のいずれにも接続されていない。このため、第１選択信号ＳＥＬ１[１]〜ＳＥＬ１[Ｋ]は、ダミー負荷４００に供給されることなく、各分配回路２１[ｊ]に供給される。
一方、第２供給回路２００ｂでは、ダミー負荷４００は、フレキシブル回路基板３００ｂの配線によって、第２選択信号ＳＥＬ２[１]〜ＳＥＬ２[Ｋ]の出力端子である第５出力部２００ｂ２および第６出力部２００ｂ３の両方に接続されている。このため、第２選択信号ＳＥＬ２[１]〜ＳＥＬ２[Ｋ]は、各分配回路２１[ｊ]に供給されることなく、ダミー負荷４００に供給（出力）される。
【０１０８】
図１４および図１５は、第５出力部２００ｂ２とダミー負荷４００との接続、および第６出力部２００ｂ３とダミー負荷４００との接続の一例を説明するための図である。
第１供給回路２００ａおよび第２供給回路２００ｂの各々には、内蔵されたダミー負荷４００と接続する接続用パッドＰ５[１]〜Ｐ５[Ｋ]およびＰ６[１]〜Ｐ６[Ｋ]が設けられている。
第２供給回路２００ｂでは、第５出力部２００ｂ２に含まれる出力端子２００ｂ２[１]〜２００ｂ２[Ｋ]が、それぞれ、フレキシブル回路基板３００ｂに設けられた接続線ＣＬ１[１]〜ＣＬ１[Ｋ]によって接続用パッドＰ５[１]〜Ｐ５[Ｋ]と接続され、第６出力部２００ｂ３に含まれる出力端子２００ｂ３[１]〜２００ｂ３[Ｋ]が、それぞれ、フレキシブル回路基板３００ｂに設けられた接続線ＣＬ２[１]〜ＣＬ２[Ｋ]によって接続用パッドＰ６[１]〜Ｐ６[Ｋ]と接続される。換言すると、出力端子２００ｂ２[ｋ]は、接続線ＣＬ１[ｋ]によって接続用パッドＰ５[ｋ]と接続され、出力端子２００ｂ３[ｋ]は、接続線ＣＬ２[ｋ]によって接続用パッドＰ６[ｋ]と接続される。
なお、出力端子２００ｂ２[ｋ]は、第２選択信号ＳＥＬ２[ｋ]を出力し、出力端子２００ｂ３[ｋ]は、第２選択信号ＳＥＬ２[ｋ]を出力する。
【０１０９】
本実施形態によれば、第２供給回路２００ｂがダミー負荷４００を備え、第２供給回路２００ｂが内蔵するダミー負荷４００に第２選択信号ＳＥＬ２[１]〜ＳＥＬ２[Ｋ]を出力するので、ダミー負荷専用の新たな基板を設ける必要がなく、構成の小型化を図ることが可能になる。また、第２供給回路２００ｂとは異なる構成部にダミー負荷４００を設ける場合に比べて、第２選択信号ＳＥＬ２[１]〜ＳＥＬ２[Ｋ]をダミー負荷４００に供給するための出力線を短くできる。また、ダミー負荷４００を可変抵抗または可変容量等で構成すれば、ダミー負荷４００における負荷の大きさを調整可能になる。この際、例えば、可変抵抗の抵抗値が、第２供給回路２００ｂの備えるレジスタを用いて設定される場合、ダミー負荷４００における負荷の微調整が可能になる。なお、レジスタへの抵抗値の設定は、例えば、電気光学装置１Ｃの立ち上げ時に、制御回路５００によって行われる。
【０１１０】
なお、第１供給回路２００ａおよび第２供給回路２００ｂの各々に、接続用パッドＰ５[１]〜Ｐ５[Ｋ]およびＰ６[１]〜Ｐ６[Ｋ]が設けられ、フレキシブル回路基板３００ａおよび３００ｂの各々に、接続線ＣＬ１[１]〜ＣＬ１[Ｋ]と接続線ＣＬ２[１]〜ＣＬ２[Ｋ]とが設けられ、かつ、接続線ＣＬ１[１]〜ＣＬ１[Ｋ]の各々および接続線ＣＬ２[１]〜ＣＬ２[Ｋ]の各々にスイッチが設けられ、制御回路５００が、これらのスイッチのうち、フレキシブル回路基板３００ａに設けられたスイッチをオフとし、フレキシブル回路基板３００ｂに設けられたスイッチをオンとしてもよい。この場合、第１供給回路２００ａの構成と第２供給回路２００ｂの構成とを同一にできる。
【０１１１】
また、第１供給回路２００ａにはダミー負荷４００を設けずに、第２供給回路２００ｂにダミー負荷４００を設けてもよい。この場合、フレキシブル回路基板３００ａに、接続線ＣＬ１[１]〜ＣＬ１[Ｋ]と接続線ＣＬ２[１]〜ＣＬ２[Ｋ]とのいずれも設けられずに、第２供給回路２００ｂの内部に、第２選択信号ＳＥＬ２[１]〜ＳＥＬ２[Ｋ]をダミー負荷４００に供給する配線が設けられてもよい。
【０１１２】
＜変形例＞
以上の各形態は多様に変形され得る。具体的な変形の態様を以下に例示する。以下の例示から任意に選択された２以上の態様は相矛盾しない限り適宜に併合され得る。
【０１１３】
＜変形例１＞
上述した実施形態では、図１、２に示すように、フレキシブル回路基板３００ａとフレキシブル回路基板３００ｂとを、電気光学パネル１００の表示方向（ｚ方向）から見て重なるように取り付けられた構成について説明した。しかし、本発明はこのような構成に限定されるものではない。例えば、電気光学パネル１００に、フレキシブル回路基板３００ａとの接続端子３００ａ１およびフレキシブル回路基板３００ｂとの接続端子３００ｂ１を電気光学パネル１００の横方向（ｘ方向）に並べて配置してもよい。この場合、フレキシブル回路基板３００ａとフレキシブル回路基板３００ｂの電気光学パネル１００への実装は容易となる。しかし、この例では、図１、２の接続端子３００ａ１と接続端子３００ｂ１が縦方向（ｙ方向）に配置される構成と比較して、画素部１０に対してフレキシブル回路基板３００ａおよびフレキシブル回路基板３００ｂの実装領域が大きくなる場合や、画素部１０と実装領域とを接続する配線が長くなる場合がある。
【０１１４】
＜変形例２＞
第１供給回路２００ａが分配回路２１[１]〜２１[Ｊ/２]までを駆動し、第２供給回路２００ｂが分配回路２１[（Ｊ/２）＋１]〜２１[Ｊ]までを駆動してもよい。この場合、分配回路２１[１]〜２１[Ｊ/２]と分配回路２１[（Ｊ/２）＋１]〜２１[Ｊ]は、位置的に容易に分けられるので、分配回路２１[１]〜２１[Ｊ]と、第１供給回路２００ａおよび第２供給回路２００ｂとの配線を単純化することが可能になる。
【０１１５】
＜変形例３＞
電気光学パネル１００と接続される配線基板の数は２つに限定されない。３つ以上の配線基板が電気光学パネル１００に接続されてもよい。例えば、３つ以上の配線基板が用いられる場合においても、分配回路に用いない選択信号の出力先をダミー負荷とすればよい。
【０１１６】
＜変形例４＞
電気光学装置として液晶装置が用いられたが、電気光学装置は、電気的なエネルギーで光学的な性質が変化する電気光学物質を有する装置であればよい。なお、電気光学物質には、液晶や有機ＥＬ（electro luminescence）などが該当する。
【０１１７】
＜応用例＞
以上の各形態や変形例に例示した電気光学装置は、各種の電子機器に利用され得る。図１６には、上述した電気光学装置を採用した電子機器の具体的な形態が例示されている。
【０１１８】
図１６は、上述した電気光学装置を適用した投射型表示装置（３板式のプロジェクタ）４０００の模式図である。投射型表示装置４０００は、相異なる表示色（赤色，緑色，青色）に対応する３個の電気光学装置１（１Ｒ，１Ｇ，１Ｂ）を含んで構成される。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。上述した電気光学装置１を適用することにより、高精細表示が可能な小型の投射型表示装置４０００が容易に実現できる。
【０１１９】
なお、本発明に係る電気光学装置が適用される電子機器としては、図１６に例示した機器のほか、可搬型のパーソナルコンピューター、携帯情報端末（ＰＤＡ：Personal Digital Assistants），デジタルスチルカメラ，テレビ，ビデオカメラ，カーナビゲーション装置が挙げられる。さらに、該電子機器としては、車載用の表示器（インパネ），電子手帳，電子ペーパー，電卓，ワードプロセッサ，ワークステーション，テレビ電話，ＰＯＳ端末，プリンタ，スキャナ，複写機，ビデオプレーヤ，タッチパネルを備えた機器等などが挙げられる。
【符号の説明】
【０１２０】
１…電気光学装置、１０…画素部、１２…走査線、１４…信号線、２０…走査線駆動回路、２１[１]〜２１[Ｋ]…分配回路、２００ａ…第１供給回路、２００ｂ…第２供給回路、４００…ダミー負荷、５００…制御回路。
【図１】
2018017793.tif 000003
【図２】
2018017793.tif 000004
【図３】
2018017793.tif 000005
【図４】
2018017793.tif 000006
【図５】
2018017793.tif 000007
【図６】
2018017793.tif 000008
【図７】
2018017793.tif 000009
【図８】
2018017793.tif 000010
【図９】
2018017793.tif 000011
【図１０】
2018017793.tif 000012
【図１１】
2018017793.tif 000013
【図１２】
2018017793.tif 000014
【図１３】
2018017793.tif 000015
【図１４】
2018017793.tif 000016
【図１５】
2018017793.tif 000017
【図１６】
2018017793.tif 000018